(57)【要約】      （修正有）【課題】チューブの内面における固着の発生を防止するだけでなく、使用回数が増加しても速やかに閉状態から開状態へと復帰して、長期間に亘って液の流量を安定化させることができるピンチバルブ用チューブを提供する。【解決手段】ピンチバルブに用いられるピンチバルブ用チューブ１であって、金属製弾性体で形成された復元部材１２が、ゴムまたは樹脂製のチューブ１の周壁内に内蔵されているピンチバルブ用チューブ１。復元部材１２がチューブ１の周壁の全周に亘って、または、チューブ１の周壁の全周の一部に内蔵されているピンチバルブ用チューブ。ゴムがエチレン−プロピレン−ジエン共重合ゴム、フッ素ゴムまたはアクリロニトリル−ブタジエンゴムのいずれかであり、樹脂がポリオレフィン樹脂またはポリ塩化ビニル樹脂であるピンチバルブ用チューブ。【選択図】図２
2017002955.tif 000002
【特許請求の範囲】
【請求項１】
ピンチバルブに用いられるピンチバルブ用チューブであって、
金属製弾性体で形成された復元部材が、ゴムまたは樹脂製のチューブの周壁内に内蔵されていることを特徴とするピンチバルブ用チューブ。
【請求項２】
前記復元部材が前記チューブの周壁の全周に亘って内蔵されていることを特徴とする請求項１に記載のピンチバルブ用チューブ。
【請求項３】
前記復元部材が、前記チューブの周壁の全周の一部に内蔵されていることを特徴とする請求項１に記載のピンチバルブ用チューブ。
【請求項４】
前記復元部材が、金属素線を筒網状に編み上げて形成されていることを特徴とする請求項２に記載のピンチバルブ用チューブ。
【請求項５】
前記復元部材が、血管拡張用ステントであることを特徴とする請求項４に記載のピンチバルブ用チューブ。
【請求項６】
前記ゴムがエチレン−プロピレン−ジエン共重合ゴム、フッ素ゴムまたはアクリロニトリル−ブタジエンゴムのいずれかであり、前記樹脂がポリオレフィン樹脂またはポリ塩化ビニル樹脂であることを特徴とする請求項１ないし請求項５のいずれか１項に記載のピンチバルブ用チューブ。
【発明の詳細な説明】
【技術分野】
【０００１】
本発明は、医療等の各種産業分野において薬液等の流体を移送する際に使用されるピンチバルブに用いられるピンチバルブ用チューブに関する。
【背景技術】
【０００２】
ピンチバルブは、基部と押圧部材との間に挟み込まれたピンチバルブ用チューブ（以下、単に「チューブ」ともいう）を、押圧部材を通電により上下させることにより開閉させて、チューブ内を送られてきた薬液等の流体（以下、単に「液」ともいう）の流れを制御する治具であり、構造が簡単で、液が触れる箇所がチューブ以外に殆どないことから、医療用検体検査装置を始め薬液を使用する流路等に広く使用されている。
【０００３】
チューブはピンチバルブの押圧部材の上下に合わせて開閉するため、ゴム等の弾性材料を用いて作製されている。しかし、チューブ内を流れる液の種類によってはチューブの構成成分と反応してチューブの内壁面を変質させ粘着性が発生することがあり、このような粘着性が発生すると、通電してピンチバルブを開状態としてもチューブの内部が閉状態のまま固着して元の開状態に戻らなくなる場合がある。
【０００４】
そこで、チューブの内面にプラスチックシートを被覆させてこのような固着の発生を防止することが提案されている（特許文献１）。
【先行技術文献】
【特許文献】
【０００５】
【特許文献１】特開２０００―２４９２３７号公報
【発明の概要】
【発明が解決しようとする課題】
【０００６】
しかしながら、上記の技術はチューブの内面における固着の発生を防止することはできるものの、開閉を繰り返して使用回数が増加してくるとチューブが疲労して弾性の低下を招いて閉状態から開状態への復帰が遅くなり、液の流量が安定しなくなるという問題がある。
【０００７】
そこで、本発明は、チューブの内面における固着の発生を防止するだけでなく、使用回数が増加しても速やかに閉状態から開状態へと復帰して、長期間に亘って液の流量を安定化させることができるピンチバルブ用チューブを提供することを課題とする。
【課題を解決するための手段】
【０００８】
本発明者は、上記の課題を解決するため鋭意検討を行った結果、以下に記載する発明により上記の課題が解決できることを見出し、本発明を完成させるに至った。
【０００９】
請求項１に記載の発明は、
ピンチバルブに用いられるピンチバルブ用チューブであって、
金属製弾性体で形成された復元部材が、ゴムまたは樹脂製のチューブの周壁内に内蔵されていることを特徴とするピンチバルブ用チューブである。
【００１０】
請求項２に記載の発明は、
前記復元部材が前記チューブの周壁の全周に亘って内蔵されていることを特徴とする請求項１に記載のピンチバルブ用チューブである。
【００１１】
請求項３に記載の発明は、
前記復元部材が、前記チューブの周壁の全周の一部に内蔵されていることを特徴とする請求項１に記載のピンチバルブ用チューブである。
【００１２】
請求項４に記載の発明は、
前記復元部材が、金属素線を筒網状に編み上げて形成されていることを特徴とする請求項２に記載のピンチバルブ用チューブである。
【００１３】
請求項５に記載の発明は、
前記復元部材が、血管拡張用ステントであることを特徴とする請求項４に記載のピンチバルブ用チューブである。
【００１４】
請求項６に記載の発明は、
前記ゴムがエチレン−プロピレン−ジエン共重合ゴム、フッ素ゴムまたはアクリロニトリル−ブタジエンゴムのいずれかであり、前記樹脂がポリオレフィン樹脂またはポリ塩化ビニル樹脂であることを特徴とする請求項１ないし請求項５のいずれか１項に記載のピンチバルブ用チューブである。
【発明の効果】
【００１５】
本発明によれば、チューブの内面における固着の発生を防止するだけでなく、使用回数が増加しても速やかに閉状態から開状態へと復帰して、長期間に亘って液の流量を安定化させることができるピンチバルブ用チューブを提供することができる。
【図面の簡単な説明】
【００１６】
【図１】ピンチバルブの動作を模式的に示す図である。
【図２】本発明の実施の形態に係るピンチバルブ用チューブが用いられたピンチバルブを模式的に示す図である。
【図３】本発明の実施の形態において使用される血管拡張用ステントを説明する図である。
【図４】本発明の実施の形態に係るピンチバルブ用チューブが用いられたピンチバルブの他の例を模式的に示す図である。
【発明を実施するための形態】
【００１７】
以下、本発明を実施の形態に基づき、図面を用いて説明する。
【００１８】
１．ピンチバルブの動作
最初に、ピンチバルブの基本的な動作について説明する。
【００１９】
図１はピンチバルブの動作を模式的に示す図であり、１はピンチバルブ用チューブ（以下、単に「チューブ」ともいう）、２はピンチバルブに設けられた押圧部材、３は下降してきた押圧部材２を受け止める基部であり、押圧部材２と基部３の間にチューブ１が挿入されている。なお、１０はチューブ１内に形成されている流路であり、流路１０内を液が流れていく。
【００２０】
図１（ａ）→（ｂ）→（ｃ）→（ｄ）に示すように、押圧部材２が通電により上下することにより押圧部材２と基部３の間が開閉し、これに合わせて挟み込まれたチューブ１が開閉して、液の流れを停止させたり再開させたりする。
【００２１】
具体的には、押圧部材２が下降するにつれて、ピンチバルブが図１（ａ）に示す開状態から図１（ｂ）を経て図１（ｃ）に示す閉状態へと変化して、押圧部材２と基部３の間でチューブ１が押し付けられるため、流路１０が閉じられて液の流れが停止する。その後、押圧部材２が上昇するにつれて、ピンチバルブが図１（ｃ）に示す閉状態から図１（ｄ）を経て、再び、図１（ａ）に示す開状態へと変化して、チューブ１への押圧が取り除かれるため、閉じられていた流路１０が再び開放されて、液の流れが再開する。
【００２２】
しかし、ピンチバルブの閉状態から開状態への復元は瞬間的に行われるのではなく、タイムラグ（復元応答時間）が必ず発生する。このタイムラグは、開閉を繰り返して使用回数が増加することによるチューブ１の疲労に伴って徐々に大きくなっていき、安定した液の流れを確保することができなくなる。
【００２３】
また、前記したように、液の種類によってはチューブ１の内壁面に粘着性が発生して、ピンチバルブを開状態としても流路１０が開放されず固着し、安定した液の流れを確保することができなくなる。
【００２４】
２．本実施の形態に係るピンチバルブ用チューブが用いられたピンチバルブ
上記した液の流れの不安定化を防止するために、本実施の形態においては、図２に示すようなピンチバルブ用チューブを使用する。なお、図２は本実施の形態に係るピンチバルブ用チューブが用いられたピンチバルブを模式的に示す図である。
【００２５】
本実施の形態においても、ピンチバルブは従来と同様に、押圧部材２が通電により上下することにより、押圧部材２と基部３との間が開閉してチューブ１における液の流れを制御している。
【００２６】
しかし、本実施の形態においては、チューブ１が、金属製弾性体で形成された復元部材１２をゴムまたは樹脂製のチューブ１の周壁内に内蔵したピンチバルブ用チューブである点において従来と異なっている。
【００２７】
このように、チューブ１の周壁内に復元部材１２が内蔵されていることにより、押圧部材２の上昇によりチューブ１が閉状態から開放された時、速やかに、元の開状態に復元する。また、ゴムや樹脂に比べて疲労しにくい金属製弾性体で形成された復元部材１２が内蔵されたチューブ１は、使用回数が増加してゴムや樹脂が疲労しても復元部材１２により速やかに元の開状態に復元するため、安定した液の流れを長期間に亘って確保することができる。
【００２８】
そして、この復元部材１２の復元性能をチューブ１の内壁面に発生する粘着性よりも大きくすることにより、チューブ１を固着させることなく閉状態となっていたチューブ１を強制的に開状態に戻すことができ、安定した液の流れを確保することができる。
【００２９】
そして、チューブ１の周壁内に内蔵された復元部材１２はチューブ１内を流れる液とは接触しないため、復元部材１２と液とが反応して復元性能が変化するというようなことがなく、安定した液の流れを長期間に亘って確保することができる。
【００３０】
このような復元部材１２としては、図３に示す血管拡張用ステントなどのような金属素線を筒網状に編み上げて形成されている部材を用いることが好ましく、金型に血管拡張用ステントを挿入した後、ゴムや樹脂を注入して成形することにより、復元部材１２が内蔵されたチューブ１を作製することができる。なお、前記した血管拡張用ステント４は、図３に示すように、血管６内の狭窄部位等の部位５に挿入して血管を拡張させる治具である。
【００３１】
チューブ１の材質としては、ピンチバルブが開状態となった際、弾性により開状態への復帰が容易なゴムや樹脂が好ましい。具体的に、ゴムとしては、エチレン−プロピレン−ジエン共重合ゴム（ＥＰＤＭ）、フッ素ゴム、アクリロニトリル−ブタジエンゴム（ＮＢＲ）のいずれかであることが好ましい。また、樹脂としては、ポリエチレンやポリプロピレンなどのポリオレフィン樹脂や、ポリ塩化ビニル（ＰＶＣ）樹脂であることが好ましい。また、パーフルオロエラストマー（ＦＦＫＭ）、ブチルゴム（ＩＩＲ）、ウレタンゴム、シリコンゴム、ポリウレタン樹脂などのゴムや樹脂を用いてもよい。
【００３２】
そして、チューブ１の周壁内に内蔵される復元部材１２の材質としては、耐蝕性と弾性を両立させるという観点から、ステンレス鋼、Ｎｉ−Ｔｉ合金、β−チタン、タンタル、コバルト合金などが好ましい。
【００３３】
なお、本実施の形態において、復元部材１２はチューブ１の周壁の全周３６０度に亘って内蔵されていることが好ましいが、適切な復元性能が確保できることを条件に、図４に示すように、チューブ１の周壁の全周３６０度に対して一部の位置に内蔵されていてもよい。なお、図４は、そのような復元部材１２が内蔵されたピンチバルブ用チューブが用いられたピンチバルブの他の例を模式的に示す横断面図（左側）および縦断面（右側）図であり、（ａ）では左側方部が、（ｂ）では左右の側方部が空いた復元部材１２が内蔵されている。
【００３４】
以上、本発明を実施の形態に基づいて説明したが、本発明は上記の実施の形態に限定されるものではない。本発明と同一および均等の範囲内において、上記の実施の形態に対して種々の変更を加えることができる。
【符号の説明】
【００３５】
１            （ピンチバルブ用）チューブ
２            押圧部材
３            基部
４            血管拡張用ステント
５            血管内の狭窄部位等の部位
６            血管
１０          流路
１２          復元部材
【図１】
2017002955.tif 000003
【図２】
2017002955.tif 000004
【図３】
2017002955.tif 000005
【図４】
2017002955.tif 000006